(57)【要約】  本発明は、多層の袋状の包装材（１）であって、包装材（１）が、狭幅の側面（４，５）に結合されているその都度１つの広幅の前面（３）と背面（２）とを有しており、上側の端部（６）および下側の端部（７）で閉鎖されている、ただし上側の端部（６）に充填のための開口（８）が開放されているようになっており、しかも包装材が空気透過性の材料から成る内壁（９）を有しており、内壁（９）が空気非透過性の材料から成る外壁（１０）により包囲されている形式のものを対象としている。本発明により、ａ）前面（３）および／または背面（２）で、外壁（１０）が全面積の５０％までの部分領域（１１）にわたってオーバラップし、ｂ）オーバラップ領域（１１）で、外壁（１０）の内側の層（１０ａ）がパーフォレーション加工されており、ｃ）オーバラップ領域（１１）の縁（１２，１３）で、重なり合わせに位置する両層（１０ａ，１０ｂ）がシーム（１４，１５）により互いに結合されており、ｄ）片方または両方の縁（１２，１３）で、結合が、全長の１０〜５０％を有する１つの領域（１６）で中断されているようにした。
2007535447.tif 000002
【特許請求の範囲】
【請求項１】
多層の袋状の包装材（１）であって、包装材（１）が、狭幅の側面（４，５）に結合されているその都度１つの広幅の前面（３）と背面（２）とを有しており、上側の端部（６）および下側の端部（７）で閉鎖されている、ただし上側の端部（６）に充填のための開口（８）が開放されているようになっており、しかも包装材が空気透過性の材料から成る内壁（９）を有しており、内壁（９）が空気非透過性の材料から成る外壁（１０）により包囲されている形式のものにおいて、
ａ）前面（３）および／または背面（２）で、外壁（１０）が全面積の５０％までの部分領域（１１）にわたってオーバラップし、
ｂ）オーバラップ領域（１１）で、外壁（１０）の内側の層（１０ａ）がパーフォレーション加工されており、
ｃ）オーバラップ領域（１１）の縁（１２，１３）で、重なり合わせに位置する両層（１０ａ，１０ｂ）がシーム（１４，１５）により互いに結合されており、
ｄ）片方または両方の縁（１２，１３）で、結合が、全長の１０〜５０％を有する１つの領域（１６）で中断されている
ことを特徴とする、多層の袋状の包装材。
【請求項２】
外壁（１０）が背面（２）でのみオーバラップする、請求項１記載の包装材。
【請求項３】
外壁（１０）が全長にわたってオーバラップする、請求項１または２記載の包装材。
【請求項４】
オーバラップ領域（１１）の面積の１０〜５０％にパーフォレーションが施されている、請求項１から３までのいずれか１項記載の包装材。
【請求項５】
中断領域（１６）が包装材（１）の上半分に配置されている、請求項１から４までのいずれか１項記載の包装材。
【請求項６】
内壁（９）が紙から成るか、または人造繊維または天然繊維から成る織られた材料またはフリース材から成る、請求項１から５までのいずれか１項記載の包装材。
【請求項７】
空気非透過性の外壁（１０）のためにプラスチックシートが使用される、請求項１から６までのいずれか１項記載の包装材。
【請求項８】
請求項１から７までのいずれか１項記載の包装材の使用法において、包装材を粒子状の材料、例えば顆粒、繊維または細粒または粗粒の粉末の搬送および保管のために使用することを特徴とする、包装材の使用法。
【請求項９】
包装材を、湿気に敏感な以下に挙げるグループの充填物、つまりポリマー粉末、水中に再分散可能なポリマー粉末、高分散性のシリカ、セメント、石膏、セメントまたは石膏を含む乾燥混合物、例えば乾燥モルタル、穀粉、飼料、水溶性の粉末状の物質、例えばセメント流動化剤、増粘剤のために使用する、請求項８記載の使用法。
【発明の詳細な説明】
【技術分野】
【０００１】
本発明は、粒子状の材料、特に粉末状の材料のための多層の袋状の包装材に関する。
【０００２】
粉末状の材料、例えばポリマー粉末は、いわゆるバルブ袋（Ｖｅｎｔｉｌｓａｃｋ）内に包装された状態で流通される。充填はその際充填機を介して実施される。充填機は高い処理量で作動し、粉末を大量の空気と共に流動化された状態で袋内に充填する。空気はその際できるだけ迅速に袋から排出されねばならない。包装材料として過去クラフト紙から成る紙袋が使用されていた。それというのも、紙を通して空気は逃げることができ、その一方で粉末状の充填物は残留されるからである。紙袋はただし、飛沫水および湿気を不十分に阻止するにすぎず、かつ機械的な負荷に対して敏感であるという欠点を有している。
【０００３】
これらの欠点を克服するために、今日多層のバルブ袋が使用される。バルブ袋は内層で紙袋から成り、外層で、プラスチックシート、一般にはポリエチレンシートから成る袋により包囲されている。充填時の急速な空気流出を保証するために、紙袋を包囲するプラスチックシートは少なくとも面積の部分領域にわたってパーフォレーション加工されている。それにより、確かに機械的な強度は紙袋に比して明らかに改善されるが、湿気の進入は大面積のパーフォレーションに基づいて完全には遮断され得ない。
【０００４】
それゆえ本発明の課題は、充填工程時に空気をできるだけ迅速に逃がし、保管時に周囲空気からの湿気の再侵入をできるだけ効果的に阻止し、かつ飛沫水に対する保護を提供する、特に粉末状の充填物のための包装材料を開発することである。
【０００５】
本発明の対象は、多層の袋状の包装材１であって、包装材１が、狭幅の側面４，５に結合されているその都度１つの広幅の前面３と背面２とを有しており、上側の端部６および下側の端部７で閉鎖されている、ただし上側の端部６に充填のための開口８が開放されているようになっており、しかも包装材が空気透過性の材料から成る内壁９を有しており、内壁９が空気非透過性の材料から成る外壁１０により包囲されている形式のものにおいて、特に主要な構成として、
ａ）前面３および／または背面２で、外壁１０が全面積の５０％までの部分領域１１にわたってオーバラップし、
ｂ）オーバラップ領域１１で、外壁１０の内側の層１０ａがパーフォレーション加工されており、
ｃ）オーバラップ領域１１の縁１２，１３で、重なり合わせに位置する両層１０ａ，１０ｂがシーム１４，１５により互いに結合されており、
ｄ）片方または両方の縁１２，１３で、結合が、全長の１０〜５０％を有する１つの領域１６で中断されている
ことを特徴としている。
【０００６】
内側に位置する層９のための適当な空気透過性の材料は、紙、人造繊維または天然繊維から成る織られた材料またはフリース材である。有利なのは、３０〜１２０ｇ／ｍ２、有利には６０〜９０ｇ／ｍ２の単位面積当たり質量を有する紙、例えば従来慣用のクラフト紙である。空気非透過性の外壁１０のために、包装分野で一般的なプラスチックシート、有利にはポリオレフィンシート、例えばポリエチレンシートまたはポリプロピレンシート、およびＰＶＣシートが適している。シート厚さは一般に２０〜２００μｍである。
【０００７】
包装材１は充填された状態で直方体形の形状を有している。長さは有利には３０〜１２０ｃｍ、特に有利には６０〜１００ｃｍである。幅は有利には２０〜８０ｃｍ、有利には４０〜６０ｃｍである。側面部分の幅は有利には５〜３０ｃｍ、特に有利には１０〜２０ｃｍである。
【０００８】
包装材１の上側の端部に設けられた開口（充填（バルブ）開口）８は有利には円形または正方形の横断面を有しており、袋１が充填管片を介して充填され得るように寸法設定されている。一般に直径は５〜２０ｃｍで十分である。袋を閉鎖するために、一般に開口８の内面はプラスチック材料、有利にはホットメルトおよび／または熱可塑性樹脂（例えばポリエチレン）により被覆されている。このことは超音波または熱による開口の溶接を可能にする。
【０００９】
内側に位置する空気透過性の材料９は、外側に位置する空気非透過性の材料１０に接着により結合されている。有利には、紙内層９は、外側に位置するプラスチックシート１０に上側の端部６および底部７で接着されているにすぎない。製作はその際、袋の各層をロールから生産ラインに流し、合流させるようにして進行する。エンドレスチューブが成形され、相応に切断される。引き続いて、端部が折り畳まれ、バルブ開口がセットされ、接着される。最終的に袋の両端部にカバーシートが接着される。
【００１０】
外側に位置する材料１０、一般にプラスチックシートは、前面３または背面２または両面で、前面３または背面２の全面積の５０％までの部分領域１１にわたってオーバラップする。有利には外壁１０は片面でのみ、特に有利には袋が一般に載置されることになる側の背面２でのみオーバラップする。別の有利な実施形態では、プラスチックシートが全長にわたってオーバラップする。オーバラップ領域１１は有利にはその都度の面の全面積の１０〜５０％である。
【００１１】
オーバラップ領域１１でプラスチックシートの内側の層１０ａがパーフォレーション加工されている。パーフォレーション密度は一般に１ｃｍ２当たり０．５〜５個の穴である。パーフォレーションはニードリングによりオーバラップ領域１１全体または部分領域にわたって設けられることができる。有利にはオーバラップ領域１１の面積の１０〜５０％にパーフォレーションが施される。有利にはオーバラップ領域の全長にわたってパーフォレーション加工される。特に有利には、オーバラップ領域１１の縁１２，１３に対して、０．５〜１０ｃｍの間隔が遵守される。ただし、オーバラップ領域の、開いた縁１２に対する間隔は有利には２〜１０ｃｍである。穴径、パーフォレーション密度およびパーフォレーション加工される面積は実質的に、充填時の空気通流量がどの程度なければならないかに依存している。要求次第で、これらの値は当業者により上記制限値内で調節され得る。
【００１２】
オーバラップ領域の縁１２，１３では、プラスチックシートの、内側の層１０ａと外側の層１０ｂとが互いに、例えば接着シームまたは溶接シーム（１４，１５）により結合されている。パーフォレーションに基づき逃げる空気を排出するために、結合は片方または両方の縁、有利には片方の縁でのみ中断される。一般に、結合は全長の１０〜５０％を有する１つの領域１６で中断される。有利には、中断領域は包装材１の上半分に、特に有利には上３分の１に位置している。それというのも充填工程時残留空気は上に居座るからである。
【００１３】
この構造により一方では、充填時に、プラスチックシートから成る外壁にもかかわらず、空気を迅速に排出し得ることが保証される。充填された袋の保管時、オーバラップ領域に設けられた開口は、充填された包装材の自重により、雰囲気の湿気または飛沫水がパーフォレーションを介して内部に侵入することができないという効果を伴って閉鎖される。
【００１４】
包装材は粒子状の材料、例えば顆粒、繊維または細粒または粗粒の粉末の搬送および保管のために適している。特に適しているのは、湿気に敏感な充填物のための包装材である。湿気に敏感な充填物の例はポリマー粉末、特に水中に再分散可能なポリマー粉末（分散粉末）または高分散性のシリカ、セメント、石膏、セメントまたは石膏を含む乾燥混合物、例えば乾燥モルタル、穀粉、飼料、水溶性の粉末状の物質、例えばセメント流動化剤、増粘剤である。
【００１５】
袋は一般に表記され、印刷され、またはラベル貼付されることができる。
【００１６】
以下の図面を参照しながら本発明の有利な構成について説明する。
図１：空の状態の袋１の斜視図である。
図２：図１に示した領域ＩＩの拡大抜粋図である。
【００１７】
図１には空の状態の袋１の斜視図が示されている。袋１は、第１の広幅面２（背面）と、第２の広幅面３（前面）と、第１の狭幅の側面４と、第２の狭幅の側面５とを有している。端面６，７で袋は閉鎖されている。その際、端面６（上側の端部）の領域には、袋１を充填するための、ここには示されていない充填管を受容するための充填開口８が設けられている。
【００１８】
図２に見て取れるように、袋１は空気透過性の内壁９を有している。空気透過性の内壁９は空気非透過性の外壁１０により包囲されている。外壁１０は例えば第１の広幅面２の部分領域１１でオーバラップして構成されている。その際、オーバラップ領域の縁１２，１３は外壁１０にシーム１４，１５、例えば溶接シームにより気密に結合されている。
【００１９】
シーム１４はその際有利には上３分の１にて１つの領域１６で中断されている。それにより空気流出開口１７が形成される。オーバラップした部分領域１１の、内側に位置する外壁領域１０ａには、シーム１５の近傍に、パーフォレーション１８が施されている。パーフォレーション１８は、空気を袋１の内部から、重なり合わせに位置する外壁領域１０ａ，１０ｂとオーバラップ領域のシーム１４，１５とにより形成される通路１９に通過させ、そこから空気流出開口１７を介して自由空間に排出することを可能にする。
【図面の簡単な説明】
【００２０】
【図１】空の状態の袋１の斜視図である。
【図２】図１に示した領域ＩＩの拡大抜粋図である。
【図１】
2007535447.tif 000003
【図２】
2007535447.tif 000004
【手続補正書】
【提出日】平成18年9月12日(2006.9.12)
【手続補正１】
【補正対象書類名】特許請求の範囲
【補正対象項目名】全文
【補正方法】変更
【補正の内容】
【特許請求の範囲】
【請求項１】
多層の袋状の包装材（１）であって、包装材（１）が、狭幅の側面（４，５）に結合されているその都度１つの広幅の前面（３）と背面（２）とを有しており、上側の端部（６）および下側の端部（７）で閉鎖されている、ただし上側の端部（６）に充填のための開口（８）が開放されているようになっており、しかも包装材が空気透過性の材料から成る内壁（９）を有しており、内壁（９）が空気非透過性の材料から成る外壁（１０）により包囲されている形式のものにおいて、
ａ）前面（３）および／または背面（２）で、外壁（１０）が全面積の５０％までの部分領域（１１）にわたってオーバラップし、
ｂ）オーバラップ領域（１１）で、外壁（１０）の内側の層（１０ａ）がパーフォレーション加工されており、
ｃ）オーバラップ領域（１１）の縁（１２，１３）で、重なり合わせに位置する両層（１０ａ，１０ｂ）がシーム（１４，１５）により互いに結合されており、
ｄ）片方または両方の縁（１２，１３）で、結合が、全長の１０〜５０％を有する１つのまとまった領域（１６）で中断されており、
ｅ）オーバラップ領域（１１）の面積の１０〜５０％にパーフォレーションが施されており、かつ
ｆ）オーバラップ領域（１１）の縁（１２，１３）に対して０．５〜１０ｃｍの間隔が遵守される
ことを特徴とする、多層の袋状の包装材。
【請求項２】
外壁（１０）が背面（２）でのみオーバラップする、請求項１記載の包装材。
【請求項３】
外壁（１０）が全長にわたってオーバラップする、請求項１または２記載の包装材。
【請求項４】
中断領域（１６）が包装材（１）の上半分に配置されている、請求項１から３までのいずれか１項記載の包装材。
【請求項５】
内壁（９）が紙から成るか、または人造繊維または天然繊維から成る織られた材料またはフリース材から成る、請求項１から４までのいずれか１項記載の包装材。
【請求項６】
空気非透過性の外壁（１０）のためにプラスチックシートが使用される、請求項１から５までのいずれか１項記載の包装材。
【請求項７】
請求項１から６までのいずれか１項記載の包装材の使用法において、包装材を粒子状の材料、例えば顆粒、繊維または細粒または粗粒の粉末の搬送および保管のために使用することを特徴とする、包装材の使用法。
【請求項８】
包装材を、湿気に敏感な以下に挙げるグループの充填物、つまりポリマー粉末、水中に再分散可能なポリマー粉末、高分散性のシリカ、セメント、石膏、セメントまたは石膏を含む乾燥混合物、例えば乾燥モルタル、穀粉、飼料、水溶性の粉末状の物質、例えばセメント流動化剤、増粘剤のために使用する、請求項７記載の使用法。
【手続補正２】
【補正対象書類名】明細書
【補正対象項目名】０００５
【補正方法】変更
【補正の内容】
【０００５】
本発明の対象は、多層の袋状の包装材１であって、包装材１が、狭幅の側面４，５に結合されているその都度１つの広幅の前面３と背面２とを有しており、上側の端部６および下側の端部７で閉鎖されている、ただし上側の端部６に充填のための開口８が開放されているようになっており、しかも包装材が空気透過性の材料から成る内壁９を有しており、内壁９が空気非透過性の材料から成る外壁１０により包囲されている形式のものにおいて、特に主要な構成として、
ａ）前面３および／または背面２で、外壁１０が全面積の５０％までの部分領域１１にわたってオーバラップし、
ｂ）オーバラップ領域１１で、外壁１０の内側の層１０ａがパーフォレーション加工されており、
ｃ）オーバラップ領域１１の縁１２，１３で、重なり合わせに位置する両層１０ａ，１０ｂがシーム１４，１５により互いに結合されており、
ｄ）片方または両方の縁１２，１３で、結合が、全長の１０〜５０％を有する１つのまとまった領域１６で中断されており、
ｅ）オーバラップ領域（１１）の面積の１０〜５０％にパーフォレーションが施されており、かつ
ｆ）オーバラップ領域（１１）の縁（１２，１３）に対して０．５〜１０ｃｍの間隔が遵守される
ことを特徴としている。
【国際調査報告】
2007535447.tif 000005
2007535447.tif 000006
2007535447.tif 000007
2007535447.tif 000008
2007535447.tif 000009
2007535447.tif 000010